(57)【要約】【課題】  石膏ボード厚の違いやＧＬ工法等における壁裏スペースの壁面寸法の違いに関わらず兼用可能であって、前記壁裏スペースにあわせて穿孔部を適宜折り曲げて拡開することにより充分な耐力を発揮しうるボード用アンカーを提供する。【解決手段】  四角錐状穿孔部２の一の対角方向に沿って先端面から軸部４の途中まで延びる拡開スリット２１が設けられて分割軸部４１が形成されているとともに、分割軸部４１の先端部分に四角錐状穿孔部２を分割して形成された分割穿孔片２２が連設されており、かつ、これら各分割穿孔片２２の角状縁部に先端から所定間隔を隔てて二以上の屈曲溝２３が設けられており、分割穿孔片２２の先端面を石膏ボード９に押し込んでねじ込み下穴をあける際、相対向する各分割穿孔片２２が屈曲溝２３で折れ曲がりつつ反対方向に拡開変位するように構成されている。【選択図】  図１
2018179075.tif 000002
【特許請求の範囲】
【請求項１】
先端に穿孔部を有するとともに後端にフランジ部を有する軸部の外周に雄ねじが設けられており、前記フランジ部の端面に回転工具の係合穴と、これに連続する雌ねじ形成孔とが設けられており、前記雌ねじ形成孔に取付用ビスをねじ込んで装着するように構成されている石膏ボード用アンカーであって、
前記穿孔部が先細の四角錐状に形成されているとともに、当該四角錐状穿孔部の対角線方向または対辺の中心位置を通る方向に沿って先端面から前記軸部の途中まで延びる拡開スリットが設けられて分割軸部が形成されているとともに、当該分割軸部の先端部分に前記四角錐状穿孔部を分割して形成された分割穿孔片が連設されており、かつ、これら各分割穿孔片の角状縁部に先端から所定間隔を隔てて二以上の屈曲溝が設けられており、
前記分割穿孔片の先端面を石膏ボードに押し込んでねじ込み下穴をあける際、相対向する前記各分割穿孔片が屈曲溝で折れ曲がりつつ反対方向に拡開変位するように構成されている、前記石膏ボード用アンカー。
【請求項２】
二以上の前記屈曲溝は、前記分割穿孔片における角状縁部の先端側よりも後端側の方がより深い溝に形成されており、前記分割穿孔片の各溝底部の厚さがほぼ等しい寸法となるように構成されている、請求項１に記載の石膏ボード用アンカー。
【請求項３】
前記分割穿孔片における各外表面が、Ｒ溝状に形成されている、請求項１または請求項２に記載の石膏ボード用アンカー。
【請求項４】
前記軸部外周の雄ねじには、複数の鋭角溝状の壁紙カット溝が形成されており、石膏ボードに押し込んでねじ込み下穴をあける際に石膏ボード表面の壁紙を切断しうるように構成されている、請求項１ないし請求項３のいずれかに記載の石膏ボード用アンカー。
【発明の詳細な説明】
【技術分野】
【０００１】
本発明は、石膏ボードに締結物を固定するための石膏ボード用アンカーに関するものである。
【背景技術】
【０００２】
石膏ボードは、断熱性能や遮音性能が高く、さらには安価であることから、壁材や天井材として広く使用されている。しかしながら、石膏ボードにビスを直接ねじ込むと、石膏が粉砕してしまい、十分な締結力が得られないという問題がある。そこで、従来、石膏ボードに対してビスを締結可能とするための、ボード用アンカーが提案されている。
【０００３】
例えば、発明者は、特開２０００−１７９５２１号公報において、一端に穿孔部を、他端にフランジ部を有する軸部の外周に雄ねじが設けられ、前記フランジ部を設けた端部に回転工具の係合穴と、これに連続する雌ねじ形成穴部とが設けられており、前記雌ねじ形成穴部に取付用ビスをねじ込んで装着するように構成されているボード用アンカーであって、前記穿孔部が先細の角錐状に形成され、該角錐状穿孔部の先端面から前記軸部の途中まで延びるスリットを設けて、複数の分割軸部が形成されるとともに、前記分割軸部の先端部分に前記角錐状穿孔部を分割して形成された複数の穿孔片が連設されており、前記穿孔片の先端面をボード等に押し込んでねじ込み下穴をあける際、相対向する前記穿孔片が互いに反対方向に変位して穿孔作用を行なうように構成したことを特徴とするボード用アンカーを提案している（特許文献１）。
【先行技術文献】
【特許文献】
【０００４】
【特許文献１】特開２０００−１７９５２１号公報
【発明の概要】
【発明が解決しようとする課題】
【０００５】
ところで、現在、日本国内で流通・使用されている石膏ボードは、厚さが９．５ｍｍ、１２．５ｍｍ、１５．０ｍｍのものであるところ、アンカー部材として先端側の穿孔部を拡開させて適切な耐力を発揮させるためには、前記穿孔部が石膏ボードを貫通した状態でねじ込まれなければならない。
【０００６】
しかしながら、特許文献１に記載された発明を含めて従来の製品では、石膏ボードの厚さの違いに応じて穿孔部や軸部の長さの異なるボード用アンカーを使用しなければならないという煩雑さがある。このような煩雑さから現実的には、主流製品である９．５ｍｍ対応のボード用アンカーを１２．５ｍｍや１５．０ｍｍの石膏ボードにも使用しているため、施工上、充分な耐力が得られていないという問題が存在している。
【０００７】
また、ＧＬ工法等では、石膏ボードの裏面とコンクリート壁面との間に接着材の厚さに応じた壁裏スペースが存在している。この壁裏スペースの寸法は接着材の厚さやコンクリート壁面の凹凸状態等の施工状況によって異なっており、一般的には５ｍｍ〜１５．５ｍｍ程度の差異が存在している。このような差異は、石膏ボードの厚さの差異とも相まって、ボード用アンカーにとってその機能を発揮する上で大きな影響がある。したがって、壁裏寸法に応じて適切な長さのボード用アンカーを選択・使用しなければならないが、石膏ボードの壁裏状況を確認することはできないという問題がある。よって、適切なボード用アンカーを使用していない場合には、必要な耐力を備えていないおそれがある。
【０００８】
さらに、石膏ボードはボード用アンカーを押し込み、ねじ込む際に粉砕しやすいところ、従来の製品では、必要以上に粉砕し、あるいは粉砕した状態で無理矢理組み込まれるため充分な耐力がないものが多い。このため接着材と組み合わせてセット販売されている製品も存在する。
【０００９】
さらにまた、石膏ボードの表面に貼付されている壁紙は、ボード用アンカーをねじ込む際にバリ状に残りやすく、当該ボード用アンカーのフランジ部が表面において部分的に浮いてしまい、見映えが悪くなるという問題もある。
【００１０】
本発明は、このような問題点を解決するためになされたものであって、石膏ボード厚の違いやＧＬ工法等における壁裏スペースの壁面寸法の違いに関わらず兼用可能であって、前記壁裏スペースにあわせて穿孔部を適宜折り曲げて拡開することにより充分な耐力を発揮しうるボード用アンカーを提供することを目的としている。
【課題を解決するための手段】
【００１１】
本発明に係る石膏ボード用アンカーは、石膏ボード厚の違いやＧＬ工法等における壁裏スペースの壁面寸法の違いに合わせて長さや形状の異なるアンカーを選択・使用しなければならない煩雑さと、適切なアンカーを使用していないことにより充分な耐力を発揮し得ないという課題を解決するために、先端に穿孔部を有するとともに後端にフランジ部を有する軸部の外周に雄ねじが設けられており、前記フランジ部の端面に回転工具の係合穴と、これに連続する雌ねじ形成孔とが設けられており、前記雌ねじ形成孔に取付用ビスをねじ込んで装着するように構成されている石膏ボード用アンカーであって、前記穿孔部が先細の四角錐状に形成されているとともに、当該四角錐状穿孔部の対角線方向または対辺の中心位置を通る方向に沿って先端面から前記軸部の途中まで延びる拡開スリットが設けられて分割軸部が形成されているとともに、当該分割軸部の先端部分に前記四角錐状穿孔部を分割して形成された分割穿孔片が連設されており、かつ、これら各分割穿孔片の角状縁部に先端から所定間隔を隔てて二以上の屈曲溝が設けられており、前記分割穿孔片の先端面を石膏ボードに押し込んでねじ込み下穴をあける際、相対向する前記各分割穿孔片が屈曲溝で折れ曲がりつつ反対方向に拡開変位するように構成されている。
【００１２】
また、本発明の一態様として、石膏ボード用アンカーを壁裏のコンクリート壁面に当接させながらねじ込む場合に、穿孔部が破損しない強度を保持しつつ、同レベルの当接力によってねじ込む段階に応じて段階的に折れ曲がって拡開させるという課題を解決するために、二以上の前記屈曲溝は、前記分割穿孔片における角状縁部の先端側よりも後端側の方がより深い溝に形成されており、前記分割穿孔片の各溝底部の厚さがほぼ等しい寸法となるように構成されていてもよい。
【００１３】
さらに、本発明の一態様として、穿孔の際に石膏の粉砕を少なくしてねじ込みをスムーズにするという課題を解決するために、前記分割穿孔片における各外表面が、Ｒ溝状に形成されていてもよい。
【００１４】
さらに、本発明の一態様として、ねじ込みの際に石膏ボードの表面の壁紙がバリ状に残ってフランジ部が部分的に浮いてしまうという課題を解決するために、前記軸部外周の雄ねじには、複数の鋭角溝状の壁紙カット溝が形成されており、石膏ボードに押し込んでねじ込み下穴をあける際に石膏ボード表面の壁紙を切断しうるように構成されていてもよい。
【発明の効果】
【００１５】
本発明によれば、石膏ボード厚の違いやＧＬ工法等における壁裏スペースの壁面寸法の違いに関わらず兼用可能であって、前記壁裏スペースにあわせて穿孔部を適宜折り曲げて拡開することにより充分な耐力を発揮することができる。
【図面の簡単な説明】
【００１６】
【図１】本発明に係る石膏ボード用アンカーの実施形態を示す図であって、（ａ）は正面図、（ｂ）は底面図、（ｃ）は左側面図、（ｄ）は右側面図、（ｅ）は分割穿孔片の先端を拡大した一部拡大正面図である。
【図２】図１に示す２Ａ−２Ａ断面図である。
【図３】本実施形態のサイズの一例を示す正面図である。
【図４】本実施形態の使用例（石膏ボード厚９．５ｍｍ、壁裏寸法１０．５ｍｍ）を示す図であって、（ａ）は石膏ボードを貫通してコンクリート壁面に当接した状態、（ｂ）はねじ込み途中の状態、（ｃ）はねじ込み完了状態、（ｄ）は本実施形態に取付用ビスをねじ込んで締結物を固定した状態を示す図である。
【図５】本実施形態の使用例（石膏ボード厚９．５ｍｍ、壁裏寸法１５．５ｍｍ）を示す図である。
【図６】本実施形態の使用例（石膏ボード厚１２．５ｍｍ、壁裏寸法７．５ｍｍ）を示す図である。
【図７】本実施形態の使用例（石膏ボード厚１２．５ｍｍ、壁裏寸法１２．５ｍｍ）を示す図である。
【図８】本実施形態の使用例（石膏ボード厚１５．０ｍｍ、壁裏寸法５ｍｍ）を示す図である。
【図９】本実施形態の使用例（石膏ボード厚１５．０ｍｍ、壁裏寸法１０ｍｍ）を示す図である。
【図１０】本発明に係る石膏ボード用アンカーの他の実施形態を示す図であって、（ａ）は正面図、（ｂ）は左側面図である。
【発明を実施するための形態】
【００１７】
以下、本発明に係る石膏ボード用アンカーの一実施形態について図面を参考にしつつ説明する。
【００１８】
図１に示すように、本実施形態の石膏ボード用アンカー１は、先端に穿孔部２を有するとともに、後端にフランジ部３を有する軸部４の外周に雄ねじ５が設けられている。また、図１（ｄ）および図２に示すように、前記フランジ部３の端面には、回転工具の係合穴６と、これに連続する雌ねじ形成孔７とが設けられており、この雌ねじ形成孔７にタッピングスクリュー等の取付用ビス８をねじ込んで装着するように構成されている。
【００１９】
穿孔部２は、先細の四角錐状に形成されているとともに、当該四角錐状穿孔部２の対角線方向または対辺の中心位置を通る方向に沿って先端面から軸部４の途中まで延びる拡開スリット２１が設けられている。本実施形態の穿孔部２は、図１に示すように、１つの対角線方向に沿って前記拡開スリット２１が設けられており、この拡開スリット２１によって軸部４は２つの分割軸部４１，４１として形成されるとともに、当該分割軸部４１，４１の先端部分に前記四角錐状穿孔部２を分割して形成された２つの三角錐状の分割穿孔片２２，２２が連設されている。
【００２０】
また、前記各三角錐状分割穿孔片２２，２２のそれぞれには、対角線方向にある角状縁部に先端から所定間隔を隔てて二以上の屈曲溝２３が設けられている。本実施形態では４つの屈曲溝２３が形成されており、図３に示すように、先端から３つの溝は約５ｍｍ間隔で形成され、４つ目の溝は約３ｍｍの間隔を隔てて形成されている。また、全体の長手方向の寸法は、約３５ｍｍに形成されており、このような寸法で形成されていることにより、石膏ボード厚が９．５ｍｍ〜１５．０ｍｍのものに兼用することができ、かつ壁裏寸法が５ｍｍ〜１５．５ｍｍの壁裏スペースの施工面に対して適切な耐力を得ることが可能となる。
【００２１】
また、前記各屈曲溝２３は、三角錐状分割穿孔片２２の角状縁部において先端側よりも後端側の方がより深い溝に形成されており、図３に示すように、各溝底部の厚さがほぼ等しい寸法となるように形成されている。これは、三角錐状分割穿孔片２２としての強度を確保するとともに、壁裏のコンクリート壁面１０に当接してねじ込まれる際に適度な当接力によって屈曲溝２３の位置で屈曲しうるようにするためである。
【００２２】
以上のような構成により、三角錐状分割穿孔片２２の先端面を石膏ボード９に押し込み、ねじ込んでコンクリート壁面１０に当接させながら下穴をあける際に、相対向する各三角錐状分割穿孔片２２，２２が屈曲溝２３において折れ曲がりつつ反対方向に大きく拡開変位するようになっている。
【００２３】
また、各三角錐状分割穿孔片２２，２２の先端は、角状縁部から拡開スリット２１に向けて斜めにカットされており、鋭角状に傾斜された三角形状の先端面として形成されている。本実施形態における先端は、図１（ｅ）に示すように、約３０度の角度にカットされているとともに、その先端がさらに約３０度の角度にカットされており、２段の先端面が形成されている。このため、石膏ボード９にねじ込まれる際には、拡開スリット２１を閉じるように狭め、鋭角状の先端を互いに当接させて穿孔し易くし、石膏ボード９を貫通した後、コンクリート壁面１０に当接して拡開されると、前記コンクリート壁面１０を三角形状の先端面で当接し、その反力を確実に受けられるようになっている。なお、分割穿孔片２２の先端の角度は、３０度に限定されるものではなく、先端面がコンクリート壁面１０と当接し易い角度から適宜選択してもよい。
【００２４】
さらに、本実施形態における各三角錐状分割穿孔片２２，２２の外表面２４は、図１（ｃ）に示すように、Ｒ溝状に形成されている。このように三角錐状分割穿孔片２２の外表面２４を平坦面ではなく、Ｒ溝状に形成することにより、石膏ボード９を穿孔する際に石膏の粉砕を少なくするとともに、石膏屑をＲ溝外表面２４に収容させ、石膏ボード用アンカー１のねじ込みをスムーズにさせる機能を発揮し得るものである。
【００２５】
また、図１の（ａ）ないし（ｃ）に示すように、本実施形態における軸部４の外周に形成された雄ねじ５には、複数の鋭角溝状の壁紙カット溝５１が形成されている。これら壁紙カット溝５１は、石膏ボード用アンカー１を石膏ボード９に押し込んでねじ込み下穴をあける際に石膏ボード９の表面の壁紙を切断しうるようになっている。これは、従来のアンカーのように雄ねじ５のみで下穴をあけると、石膏ボード９の表面の壁紙がバリ状に残ってしまうことがあり、石膏ボード用アンカー１のフランジ部３が部分的に浮いてしまうことから、これを防止するために前記壁紙カット溝５１が形成されている。本実施形態における壁紙カット溝５１は、４０度の傾斜面にカットされており、平面視では略菱形に形成されているとともに図１（ｃ）の左側面図でみれば約６０度の角度をなすように形成されている。また、前記壁紙カット溝５１は、雄ねじ５の対角位置にそれぞれ２箇所形成されている。
【００２６】
つぎに、本発明に係る石膏ボード用アンカー１の各構成の作用について説明する。
【００２７】
図４は、石膏ボード厚が９．５ｍｍであって壁裏寸法が１０．５ｍｍであるＧＬ工法に本実施形態の石膏ボード用アンカー１を使用する例を示したものである。この場合の仕上げ寸法は２０ｍｍである。
【００２８】
まず、係合穴６に係合させた回転工具により本実施形態の石膏ボード用アンカー１を石膏ボード９に押し込んでねじ込む。このとき、穿孔部２は、斜めにカットされた先端が閉じて鋭角状になり、穿孔しやすい先端形状になる。
【００２９】
また、三角錐状分割穿孔片２２の角状縁部で削り取られた石膏屑はＲ溝状に形成された三角錐状分割穿孔片２２の外表面２４に収容される。このため、石膏ボード用アンカー１をねじ込む際に、前記角状縁部と下穴との間に石膏屑が入り込みにくくなり、石膏ボード９の粉砕量が少なくなる。よって、摩擦抵抗が低減しスムーズにねじ込むことができる。
【００３０】
石膏ボード用アンカー１をさらにねじ込んでいくと、前記石膏ボード用アンカー１の先端は、図４（ａ）に示すように、石膏ボード９を貫通してコンクリート壁面１０に当接する。このとき、壁裏寸法が１０．５ｍｍなのに対し穿孔部２は約１８ｍｍの長さ寸法に形成されているため、穿孔部２の後方部分が石膏ボード９内に残っている。
【００３１】
この状態からさらにねじ込むと、本実施形態では、相対向する前記三角錐状分割穿孔片２２が、コンクリート壁面１０から反力を受けて、壁裏スペースに貫通しているいずれか適切な屈曲溝２３の位置で折れ曲がりつつ拡開変位する。例えば、図４（ｂ）に示すように、壁裏寸法が１０．５ｍｍであることから、まず先端から約１０ｍｍの位置にある２つ目の屈曲溝２３が折れ曲がる。つまり、従来のボード用アンカーでは穿孔部２が壁裏スペースに完全に貫通していなければ拡開できなかったのに対し、本実施形態の石膏ボード用アンカー１では穿孔部２の貫通が不完全であっても、その壁裏寸法に応じて貫通している部分の屈曲溝２３から順に折れ曲がることが可能となり、様々な壁裏寸法に応じて拡開変位することができる。
【００３２】
また、それぞれの屈曲溝２３における溝底部の厚さがほぼ等しい寸法に形成されており、コンクリート壁面１０に対して同レベルの当接力により一または二以上の屈曲溝２３の位置で適宜折れ曲がることから、図４（ｃ）に示すように、壁裏寸法が狭い場合であっても、穿孔部２を石膏ボード９に対して完全に貫通させることができ、かつ、三角錐状分割穿孔片２２を完全に拡開することが可能となる。なお、各三角錐状分割穿孔片２２の先端が斜めにカットされていることから、拡開するときには三角形状の先端面で平坦ではないコンクリート壁面１０を確実にキャッチすることができる。
【００３３】
さらに、軸部４の外周における雄ねじ５では、壁紙カット溝５１が、壁紙をねじ込み方向に引き込みながら切断するため、壁紙と石膏とが剥離せず、下穴の表面に壁紙のバリが残らない。よって、図４（ｃ）に示すように、フランジ部３が石膏ボード９に対して部分的に浮くことがない。
【００３４】
最後に、図４（ｄ）に示すように、雌ねじ形成孔７に取付用ビス８をねじ込んで締結物を固定する。本実施形態では、上述のとおり、穿孔部２が石膏ボード９を完全に貫通して穿孔部２が大きく拡開しているのに加え、前記取付用ビス８のねじ込みによって軸部４がさらに膨らむ。よって、本実施形態の石膏ボード用アンカー１は、充分に大きな耐力を得ることができる。
【００３５】
次に、本実施形態の石膏ボード用アンカー１が、実用されている種々の石膏ボード厚に対応することができ、またＧＬ工法等により壁裏寸法が異なる場合であっても適用可能であることの説明をする。
【００３６】
図５は、石膏ボード厚が９．５ｍｍであって壁裏寸法が１５．５ｍｍであるＧＬ工法に本実施形態の石膏ボード用アンカー１を使用する例を示したものである。この場合、壁裏寸法が比較的広いため、図５に示すように、例えば先端から３つ目の屈曲溝２３で拡開変位することにより、穿孔部２は拡開しながら石膏ボード９を貫通することができる。
【００３７】
図６は、石膏ボード厚が１２．５ｍｍであって壁裏寸法が７．５ｍｍであるＧＬ工法に本実施形態の石膏ボード用アンカー１を使用する例を示したものである。この場合、先ほどの使用例に比べて石膏ボード９が厚くなっており、かつ壁裏寸法が７．５ｍｍと狭いが、穿孔部２がコンクリート壁面１０に当接したときには先端から１つ目の屈曲溝２３は壁裏スペースに貫通している。よって、三角錐状分割穿孔片２２は、１つ目の屈曲溝２３から４つ目の屈曲溝２３までねじ込みレベルに応じて適宜順番に屈曲され、穿孔部２は石膏ボード９を貫通することができる。
【００３８】
図７は、石膏ボード厚が１２．５ｍｍであって壁裏寸法が１２．５ｍｍであるＧＬ工法に本実施形態の石膏ボード用アンカー１を使用する例を示したものである。この場合、石膏ボード厚は比較的厚いが、壁裏寸法も比較的大きいため、穿孔部２がコンクリート壁面１０に当接したときには１つ目および２つ目の屈曲溝２３は壁裏スペースに貫通している。よって、三角錐状分割穿孔片２２は、１つ目または２つ目の屈曲溝２３から屈曲することができる。また、軸部４の長手方向の寸法は、石膏ボード厚よりも長いため、穿孔部２は石膏ボード９を完全に貫通することができる。
【００３９】
図８は、石膏ボード厚が１５．０ｍｍであって壁裏寸法が５ｍｍであるＧＬ工法に本実施形態の石膏ボード用アンカー１を使用する例を示したものである。この場合、壁裏寸法が５ｍｍと非常に狭いが、三角錐状分割穿孔片２２は、壁裏スペースに貫通している１つ目の屈曲溝２３から屈曲される。また、石膏ボード厚が１５．０ｍｍと非常に厚いが、屈曲溝２３は先端から約１８ｍｍの位置にも形成されているため、全ての屈曲溝２３が折れ曲がることによって穿孔部２は石膏ボード９を貫通することができる。
【００４０】
図９は、石膏ボード厚が１５．０ｍｍであって壁裏寸法が１０ｍｍであるＧＬ工法に本実施形態の石膏ボード用アンカー１を使用する例を示したものである。この場合、壁裏寸法が１０ｍｍであるため、上述のとおり屈曲溝２３において折れ曲がるのに充分な余裕がある。また、石膏ボード厚も１５．０ｍｍと厚いが、軸部４の長さも充分に大きいので軸部４全体で石膏ボード９にねじ込まれているため、充分に大きな耐力を得ることができる。
【００４１】
以上のような本実施形態の石膏ボード用アンカー１によれば、以下の効果を奏することができる。
１．下穴をあける際に相対向する三角錐状分割穿孔片２２を反対方向に拡開変位させることができるため、穿孔部２を石膏ボード９に対して完全に貫通させることができる。
２．全体の長手方向の寸法を約３５ｍｍとするとともに先端から約５ｍｍ間隔で３つの屈曲溝２３とそこから約３ｍｍの間隔を隔てた１つの屈曲溝２３を形成することで、石膏ボード厚が９．５ｍｍ〜１５．０ｍｍのものに兼用することができ、かつ壁裏寸法が５ｍｍ〜１５．５ｍｍの壁裏スペースの施工面に対して適切な耐力を得ることができる。
３．石膏ボード９が必要以上に粉砕されたり、あるいは粉砕した状態で無理矢理組み込まれることもなく、充分な耐荷重性を備え、接着材等の余計な補強コストが必要がない。
４．壁紙にバリを残さないため、石膏ボード９に対してフランジ部３が浮くことなく、見映えをよくすることができる。
【００４２】
つぎに、本発明に係る石膏ボード用アンカーの他の実施形態について図１０を参照しつつ説明する。なお、前述した本実施形態で説明した構成と同一または相当する構成については同一の符号を付して再度の説明を省略する。
【００４３】
図１０に示すように、本実施形態では、２つの拡開スリット２１が形成されており、四角錐状の穿孔部２を４分割している。つまり、四角錐状の穿孔部２の２つの対辺の中心位置を通る方向に沿って２つの拡開スリット２１，２１が形成されており、前記穿孔部２が４つの四角錐状の分割穿孔片２２，２２として構成されている。
【００４４】
また、各四角錐状の分割穿孔片２２，２２には、その角状縁部に二以上の屈曲溝が、先の実施形態と同様、所定の間隔を隔てて形成されている。よって、分割穿孔片２２，２２の先端面を石膏ボードの裏面にあるコンクリート壁面に当接させてねじ込んだ際には、相対向する４つの四角錐状分割穿孔片２２，２２がそれぞれ、屈曲溝で折れ曲がりつつ、反対方向に拡開変位するようになっている。
【００４５】
なお、本発明に係る石膏ボード用アンカーは、分割穿孔片２２，２２の強度や屈曲のし易さ、分割穿孔片２２，２２を拡開させた際の耐力等のバランスを考慮すると、先の実施形態のように、２つの分割穿孔片２２，２２とする構成がより好ましいが、他の実施形態のように、４つの分割穿孔片２２，２２に構成することを権利範囲から排除するものではない。
【００４６】
その他、例えば図示しないが、先の実施形態では、四角錐状の穿孔部２の１つの対角線方向に沿って１つの拡開スリット２１を形成したが、これに限らず、２つの対角線方向に沿って２つの拡開スリット２１，２１を形成して４つの三角錐状の分割穿孔片２２，２２を構成するようにしてもよい。
【００４７】
あるいは、他の実施形態では、四角錐状の穿孔部２の２つの対辺の中心位置を通る方向に沿って２つの拡開スリット２１，２１を形成したが、これに限らず、対辺の中心位置を通る方向に沿って１つの拡開スリット２１のみを形成して２つの四角錐状の分割穿孔片２２，２２を構成するようにしてもよい。
【００４８】
なお、本発明に係る石膏ボード用アンカーは、前述した実施形態に限定されるものではなく、適宜変更することができる。
【符号の説明】
【００４９】
１  石膏ボード用アンカー
２  穿孔部
３  フランジ部
４  軸部
５  雄ねじ
６  係合穴
７  雌ねじ形成孔
８  取付用ビス
９  石膏ボード
１０  コンクリート壁面
２１  拡開スリット
２２  分割穿孔片
２３  屈曲溝
２４  外表面
４１  分割軸部
５１  壁紙カット溝
【図１】
2018179075.tif 000003
【図２】
2018179075.tif 000004
【図３】
2018179075.tif 000005
【図４】
2018179075.tif 000006
【図５】
2018179075.tif 000007
【図６】
2018179075.tif 000008
【図７】
2018179075.tif 000009
【図８】
2018179075.tif 000010
【図９】
2018179075.tif 000011
【図１０】
2018179075.tif 000012
【手続補正書】
【提出日】平成29年6月19日(2017.6.19)
【手続補正１】
【補正対象書類名】特許請求の範囲
【補正対象項目名】全文
【補正方法】変更
【補正の内容】
【特許請求の範囲】
【請求項１】
外周に雄ねじが設けられた軸部と、この軸部の先端に形成された穿孔部と、前記軸部の後端に形成されたフランジ部と、前記フランジ部の端面に形成された回転工具の係合穴と、この係合穴に連続して形成された雌ねじ形成孔とを有しており、前記雌ねじ形成孔に取付用ビスをねじ込んで装着するように構成されている石膏ボード用アンカーであって、
前記穿孔部が先細の四角錐状に形成されているとともに、当該四角錐状穿孔部の対角線方向または対辺の中心位置を通る方向に沿って前記四角錐状穿孔部の先端面から前記軸部の途中まで延びる拡開スリットが設けられていて、前記軸部が分割軸部として形成されているとともに、当該分割軸部の先端部分には前記四角錐状穿孔部を分割して形成された分割穿孔片が連設されており、かつ、これら各分割穿孔片に先端から所定間隔を隔てて二以上の屈曲溝が設けられており、
前記分割穿孔片の先端面を石膏ボードの裏側にある壁面に当接させながら下穴をあける際に、前記壁面からの反力によって相対向する前記各分割穿孔片が屈曲溝で折れ曲がりつつ反対方向に拡開変位するように構成されている、前記石膏ボード用アンカー。
【請求項２】
二以上の前記屈曲溝は、前記分割穿孔片における角状縁部の先端側よりも後端側の方がより深い溝に形成されており、前記分割穿孔片の各溝底部の厚さがほぼ等しい寸法となるように構成されている、請求項１に記載の石膏ボード用アンカー。
【請求項３】
前記分割穿孔片における各外表面が、Ｒ溝状に形成されている、請求項１または請求項２に記載の石膏ボード用アンカー。
【請求項４】
前記軸部外周の雄ねじには、複数の鋭角溝状の壁紙カット溝が形成されており、石膏ボードに押し込んでねじ込み下穴をあける際に石膏ボード表面の壁紙を切断しうるように構成されている、請求項１ないし請求項３のいずれかに記載の石膏ボード用アンカー。